(57)【要約】【課題】複数の中間周波数に対応した可搬型無線伝送装置を提供する。【解決手段】中間周波数の信号を出力する出力側ユニット１、１２と中間周波数の信号を入力する入力側ユニット３、１４をケーブル２、１３で接続した装置部を有する可搬型無線伝送装置において、出力側ユニットは、複数の中間周波数の信号に対応した出力側回路と、外部から入力された信号に基づいて中間周波数を決定する出力側決定手段と、決定された中間周波数が選択されるように出力側回路を切り替える出力側切り替え手段を備え、入力側ユニットは、複数の中間周波数の信号に対応した入力側回路と、入力された信号に基づいて当該信号に含まれる中間周波数を決定する入力側決定手段と、決定された中間周波数が選択されるように入力側回路を切り替える入力側切り替え手段を備えた。【選択図】  図１
2010068443.tif 000002
【特許請求の範囲】
【請求項１】
中間周波数の信号を出力する出力側ユニットと中間周波数の信号を入力する入力側ユニットをケーブルで接続した装置部を有する可搬型無線伝送装置において、
前記出力側ユニットは、複数の中間周波数の信号に対応した出力側回路と、外部から入力された信号に基づいて中間周波数を決定する出力側決定手段と、前記出力側決定手段により決定された中間周波数が選択されるように前記出力側回路を切り替える出力側切り替え手段と、を備え、前記出力側切り替え手段により切り替えられた前記出力側回路により得られる前記選択された中間周波数の信号を前記ケーブルを介して前記入力側ユニットへ出力し、
前記入力側ユニットは、前記複数の中間周波数の信号に対応した入力側回路と、前記出力側ユニットから前記ケーブルを介して入力された信号に基づいて当該信号に含まれる中間周波数を決定する入力側決定手段と、前記入力側決定手段により決定された中間周波数が選択されるように前記入力側回路を切り替える入力側切り替え手段と、を備えた、
ことを特徴とする可搬型無線伝送装置。
【発明の詳細な説明】
【技術分野】
【０００１】
本発明は、可搬型無線伝送装置に関し、特に、複数の中間周波数に対応した可搬型無線伝送装置に関する。
【背景技術】
【０００２】
例えば、デジタルテレビジョン放送システムでは、ＦＰＵ（Ｆｉｅｌｄ  Ｐｉｃｋｕｐ  Ｕｎｉｔ）と呼ばれる放送用の可搬型無線伝送装置が用いられる。
図６には、従来例に係る日本の放送用可搬型無線伝送装置の構成例を示してある。
本例の放送用可搬型無線伝送装置は、送信機側と受信機側のそれぞれにおいて、高周波部と制御部に分かれており、高周波部と制御部は１３０ＭＨｚの中間周波数の信号で接続されている。
【０００３】
具体的には、送信機側は、送信制御部（ＴＣ）１０１と送信高周波部（ＴＨ）１０３とを、１３０ＭＨｚの中間周波数の信号を伝送する有線ケーブル１０２で接続して構成されている。送信高周波部１０３は、パラボラアンテナ１０４を有している。
受信機側は、受信高周波部（ＲＨ）１１２と受信制御部（ＲＣ）１１４とを、１３０ＭＨｚの中間周波数の信号を伝送する有線ケーブル１１３で接続して構成されている。受信高周波部１１２は、パラボラアンテナ１１１を有している。
送信機側から受信機側へは、高周波信号（例えば、７ＧＨｚや１０ＧＨｚなどの信号）を伝送する。
【０００４】
なお、有線ケーブル１０２、１１３としては、種々な長さのものが用いられ、一例として、１ｋｍ程度の長さのものが用いられる場合もある。具体例として、送信制御部１０１がテレビジョン中継を行うための中継車に設けられ、送信高周波部１０３が無線送信を行うための高い所（例えば、ビルの上や、山の上など）に設けられる場合がある。また、受信高周波部１１２が無線受信を行うための高い所に設けられ、受信制御部１１４がテレビジョン中継の信号を受信するための中継車或いはビルの中などに設けられる場合がある。
【０００５】
図７には、従来例に係る送信制御部１０１の構成例を示してある。
本例の送信制御部１０１では、デジタル変調ユニット１２１から出力される２０ＭＨｚのベースバンド信号をベースバンドフィルタ１２２に通して当該ベースバンド信号の不要波を制限（帯域制限）し、当該制限後の信号と局部発振器１２３から出力される１１０ＭＨｚの信号とをミキサ１２４に入力して１３０ＭＨｚの中間周波数の信号を得る。そして、この中間周波数の信号を中間周波数帯域フィルタ１２５に通して当該中間周波数の信号の不要波を制限し、当該制限後の信号を有線ケーブル１０２へ出力することにより送信高周波部１０３へ送る。
【０００６】
図８には、従来例に係る送信高周波部１０３の構成例を示してある。
本例の送信高周波部１０３では、送信制御部１０１から有線ケーブル１０２を介して入力された１３０ＭＨｚの中間周波数の信号を中間周波数帯域フィルタ１３１に通して当該中間周波数の信号の不要波を制限し、当該制限後の信号と局部発振器１３２からの１３７０ＭＨｚの信号とをミキサ１３３に入力して１５００ＭＨｚのセカンド中間周波数の信号へ周波数変換を行う。このセカンド中間周波数の信号をセカンド中間周波数帯域フィルタ１３４に通して当該セカンド中間周波数の信号の不要波を制限し、当該制限後の信号（１５００ＭＨｚの信号）と可変局部発信器１３５からの信号（例えば、５ＧＨｚ、６．８５ＧＨｚ、９ＧＨｚ、９．８５ＧＨｚ、１０ＧＨｚなどの信号）とをミキサ１３６に入力して所望の送信周波数の信号（例えば、７ＧＨｚや１０ＧＨｚなどの信号）を得る。この送信周波数の信号を高周波数帯域フィルタ１３７に通して当該送信周波数の信号の不要波を制限し、当該制限後の信号を高周波増幅器（例えば、電力増幅器（ＰＡ：Ｐｏｗｅｒ  Ａｍｐｌｉｆｉｅｒ））１３８により増幅し、当該増幅後の高周波の信号をパラボラアンテナ１０４を経て無線により送信する。
【０００７】
図９には、従来例に係る受信高周波部１１２の構成例を示してある。
受信機側では、送信機側から無線送信された信号がパラボラアンテナ１１１を経て受信高周波部１１２に入力される。
本例の受信高周波部１１２では、この信号（受信信号）を高周波の低雑音増幅器（ＬＮＡ：Ｌｏｗ  Ｎｏｉｓｅ  Ａｍｐｌｉｆｉｅｒ）１４１により増幅し、当該増幅後の信号を高周波帯域フィルタ１４２に通して当該信号の不要波を制限し、当該制限後の信号と可変局部発振器１４３からの信号（例えば、５ＧＨｚ、６．８５ＧＨｚ、９ＧＨｚ、９．８５ＧＨｚ、１０ＧＨｚなどの信号）とをミキサ１４４に入力して１５００ＭＨｚのセカンド中間周波数の信号を得る。このセカンド中間周波数の信号をセカンド中間周波数帯域フィルタ１４５に通して当該セカンド中間周波数の信号の不要波を制限し、当該制限後の信号と局部発信器１４６からの１３７０ＭＨｚの信号とをミキサ１４７に入力して１３０ＭＨｚの中間周波数の信号を得る。この中間周波数の信号を中間周波数帯域フィルタ１４８に通して当該中間周波数の信号の不要波を制限し、当該制限後の信号を有線ケーブル１１３へ出力することにより受信制御部１１４へ送る。
【０００８】
図１０には、従来例に係る受信制御部１１４の構成例を示してある。
本例の受信制御部１１４では、受信高周波部１１２から有線ケーブル１１３を介して入力された１３０ＭＨｚの中間周波数の信号を中間周波数帯域フィルタ１５１に通して当該中間周波数の信号の不要波を制限し、当該制限後の信号と局部発信器１５２からの１１０ＭＨｚの信号とをミキサ１５３に入力して２０ＭＨｚのベースバンド信号へ周波数変換する。そして、このベースバンド信号をベースバンドフィルタ１５４に通して当該ベースバンド信号の不要波を制限し、当該制限後の信号についてデジタル復調ユニット１５５により信号の復調を行う。
【０００９】
【特許文献１】特開平８−１０７５３１号公報
【発明の開示】
【発明が解決しようとする課題】
【００１０】
しかしながら、従来の放送用可搬型無線伝送装置では、日本における１３０ＭＨｚの中間周波数で制御部と高周波部との接続を行うことから、海外仕様装置における７０ＭＨｚの中間周波数との非互換が問題となる。従来の放送用可搬型無線伝送装置では、国内向けと海外向けに専用の装置が必要となり、それぞれ別々に作られており、装置の統一化ができなかった。また、中間周波数の自動検知ができないため、日本仕様装置を海外仕様装置と接続することができないといった問題があった。
【００１１】
本発明は、このような従来の事情に鑑み為されたもので、複数の中間周波数に対応することができ、例えば、国内と海外の両方に対応することができる可搬型無線伝送装置を提供することを目的とする。
【課題を解決するための手段】
【００１２】
上記目的を達成するため、本発明では、中間周波数の信号を出力する出力側ユニットと中間周波数の信号を入力する入力側ユニットをケーブルで接続した装置部を有する可搬型無線伝送装置において、次のような構成とした。
すなわち、前記出力側ユニットでは、複数の中間周波数の信号に対応した出力側回路を有する。そして、出力側決定手段が、外部から入力された信号に基づいて、中間周波数を決定する。出力側切り替え手段が、前記出力側決定手段により決定された中間周波数が選択されるように、前記出力側回路を切り替える。これにより、前記出力側切り替え手段により切り替えられた前記出力側回路により得られる前記選択された中間周波数の信号を前記ケーブルを介して前記入力側ユニットへ出力する。
また、前記入力側ユニットでは、前記複数の中間周波数の信号に対応した入力側回路を有する。そして、入力側決定手段が、前記出力側ユニットから前記ケーブルを介して入力された信号に基づいて、当該信号に含まれる中間周波数を決定する。入力側切り替え手段が、前記入力側決定手段により決定された中間周波数が選択されるように、前記入力側回路を切り替える。
【００１３】
従って、出力側ユニットや入力側ユニットでは、複数の中間周波数に対応した回路を有して、使用される中間周波数に合わせて当該回路を切り替えることにより、複数の中間周波数に対応することができ、例えば、国内と海外の両方に対応することができる。
【００１４】
ここで、出力側ユニットとケーブルと入力側ユニットの組み合わせとしては、一例として、図１において、送信機側の装置部における送信制御部１と有線ケーブル２と送信高周波部３の組み合わせを用いることができ、他の一例として、図１において、受信機側の装置部における受信高周波部１２と有線ケーブル１３と受信制御部１４の組み合わせを用いることができる。
【００１５】
また、複数の中間周波数の数としては、２以上の任意の数が用いられてもよい。
また、複数の中間周波数の信号に対応した回路としては、例えば、複数の中間周波数のそれぞれに対応した複数の発振器や、複数の中間周波数のそれぞれに対応した複数のフィルタなどを用いて構成することができる。そして、選択された１つの中間周波数に対応した回路素子（例えば、発振器やフィルタなど）が使用されるように切り替えることにより、選択された中間周波数に対応することができる。
【００１６】
また、出力側ユニットにおいて、外部から入力された信号に基づいて中間周波数を決定する手法としては、種々なものが用いられてもよく、一例として、外部から入力された送信対象となる信号（例えば、ＴＳ（Ｔｒａｎｓｐｏｒｔ  Ｓｔｒｅａｍ）信号）に含まれる所定の情報に基づいて中間周波数を決定する手法を用いることができ、他の一例として、ＧＰＳ（Ｇｌｏｂａｌ  Ｐｏｓｉｔｉｏｎｉｎｇ  Ｓｙｓｔｅｍ）の機能を用いて、外部から入力されたＧＰＳ信号により検出された位置情報に基づいて中間周波数を決定する手法を用いることができる。
【００１７】
また、入力側ユニットにおいて、出力側ユニットから入力された信号に基づいて中間周波数を決定する手法としては、種々なものが用いられてもよく、例えば、当該入力信号に含まれる各周波数（例えば、使用される可能性がある複数の中間周波数のそれぞれ）の信号レベルを検出して、信号レベルが最も大きい周波数が出力側ユニットで使用された中間周波数であると判定する手法を用いることができる。
【発明の効果】
【００１８】
以上説明したように、本発明に係る可搬型無線伝送装置によると、複数の中間周波数に対応することができ、例えば、国内と海外の両方に対応することができる。
【発明を実施するための最良の形態】
【００１９】
本発明に係る実施例を図面を参照して説明する。
図１には、本発明の一実施例に係る放送用可搬型無線伝送装置の構成例を示してある。
本例の放送用可搬型無線伝送装置は、送信機側と受信機側のそれぞれにおいて、高周波部と制御部に分かれており、高周波部と制御部は１３０ＭＨｚ或いは７０ＭＨｚの中間周波数の信号で接続される。本例では、ユニット間のケーブルで伝送される中間周波数（ＩＦ：Ｉｎｔｅｒｍｅｄｉａｔｅ  Ｆｒｅｑｕｅｎｃｙ）として、国内仕様の１３０ＭＨｚと海外仕様の７０ＭＨｚの２つの周波数に対応することを可能とするように、各ユニット（本例では、送信制御部１、送信高周波部３、受信高周波部１２、受信制御部１４）が構成されている。
【００２０】
送信機側は、送信制御部（ＴＣ）１と送信高周波部（ＴＨ）３とを、１３０ＭＨｚ或いは７０ＭＨｚの中間周波数の信号を伝送する有線ケーブル２で接続して構成されている。送信高周波部３は、パラボラアンテナ４を有している。
受信機側は、受信高周波部（ＲＨ）１２と受信制御部（ＲＣ）１４とを、１３０ＭＨｚ或いは７０ＭＨｚの中間周波数の信号を伝送する有線ケーブル１３で接続して構成されている。受信高周波部１２は、パラボラアンテナ１１を有している。
送信機側から受信機側へは、高周波信号（例えば、７ＧＨｚや１０ＧＨｚなどの信号）を伝送する。
【００２１】
図２には、送信制御部１の構成例を示してある。
本例の送信制御部１において行われる動作の一例を示す。本例の送信制御部１は、２つの中間周波数を出力する機能を有する。
デジタル変調ユニット３１が３０ＭＨｚ（＝ω）のベースバンド信号を出力し、ベースバンドフィルタ２２が当該ベースバンド信号の不要波を制限（帯域制限）し、局部発信器２３が１００ＭＨｚ（＝Ｌｏ）の信号を出力し、ミキサ２４が当該制限後の３０ＭＨｚの信号と当該１００ＭＨｚの信号を入力して周波数変換する。
【００２２】
ここで、ミキサ２４による周波数変換は、中間周波数をＩＦとして、（ＩＦ＝Ｌｏ±ω）の式のように表される。
これにより、ミキサ２４からの出力としては、ＦＰＵ装置における中間周波数の国内仕様である１３０ＭＨｚ（＝Ｌｏ＋ω）の信号と、海外仕様である７０ＭＨｚ（＝Ｌｏ−ω）の信号の２つが得られる。
【００２３】
ミキサ２４から出力された信号は、１３０ＭＨｚ用の中間周波数帯域フィルタ２５に通されて１３０ＭＨｚの信号を主に通すように当該信号の不要波が制限されるとともに、７０ＭＨｚ用の中間周波数帯域フィルタ２６に通されて７０ＭＨｚの信号を主に通すように当該信号の不要波が制限される。
スイッチ（ＳＷ）３０は、これら２つの中間周波数のうちのいずれか１つの中間周波数の信号を選択して、有線ケーブル２へ出力（送出）することにより送信高周波部３へ送る。具体的には、中間周波数を１３０ＭＨｚとする場合には、１３０ＭＨｚ用の中間周波数帯域フィルタ２５からの出力信号を選択して所望波以外の不要波の制限を行い、また、中間周波数を７０ＭＨｚとする場合には、７０ＭＨｚ用の中間周波数帯域フィルタ２６からの出力信号を選択して所望波以外の不要波の制限を行うことで、所望の中間周波数の選択を実現する。
【００２４】
スイッチ３０により所望の中間周波数の信号を選択する手法としては、種々なものが用いられてもよい。
一例として、送信対象となる信号（例えば、ＴＳ信号）に、中間周波数を特定する情報が含まれており、スイッチ３０或いは他の処理部が当該情報により特定される中間周波数を選択するように制御する手法を用いることができる。この情報としては、例えば、中間周波数の値自体を特定する情報や、或いは、中間周波数を特定することが可能な放送局の識別情報や、或いは、国内であるか或いは海外であるかの識別情報などを用いることができる。
【００２５】
他の一例として、ユーザにより操作することが可能な外部スイッチ２７（或いは、任意の操作部）を設けて、ユーザにより操作される内容に応じてＦＰＧＡ（Ｆｉｅｌｄ  Ｐｒｏｇｒａｍｍａｂｌｅ  Ｇａｔｅ  Ａｒｒａｙ）２９を介してスイッチ３０を制御することにより、ユーザの希望に合わせた中間周波数を選択する手法を用いることができる。
【００２６】
更に他の一例として、ＧＰＳアンテナとＧＰＳ受信機を合わせ持ったＧＰＳユニット２８を設けて、ＧＰＳユニット２８がＧＰＳ機能により送信機の位置情報を取得して、当該位置情報に基づいて国内仕様圏であるか或いは海外仕様圏であるかを検出し、当該検出結果（当該位置情報）に合わせてＦＰＧＡ２９を介してスイッチ３０を制御することにより、各圏内に合った中間周波数を自動的に設定するような手法を用いることができる。
【００２７】
このように、本例の送信制御部１では、複数の中間周波数の信号を出力することが可能であり、同一（単一）の構成のままで国内中間周波数の仕様（１３０ＭＨｚ）と海外中間周波数の仕様（７０ＭＨｚ）に対応することが可能である。また、所望の中間周波数を選択することが可能である。
【００２８】
図３には、送信高周波部３の構成例を示してある。
本例の送信高周波部３において行われる動作の一例を示す。本例の送信高周波部３は、送信制御部１から送出される信号の周波数（中間周波数）を自動的に検出する機能を有する。
送信制御部１からの中間周波数の信号が、有線ケーブル２を介して入力されて、本線の信号として２つの中間周波数帯域フィルタ４１、４２に入力され、分岐の信号としてＡ／Ｄ（Ａｎａｌｏｇ  ｔｏ  Ｄｉｇｉｔａｌ）変換器４３に入力される。
【００２９】
１３０ＭＨｚ用の中間周波数帯域フィルタ４１は、送信制御部１からの信号を通して、１３０ＭＨｚの信号を主に通すように当該信号の不要波を制限する。
７０ＭＨｚ用の中間周波数帯域フィルタ４２は、送信制御部１からの信号を通して、７０ＭＨｚの信号を主に通すように当該信号の不要波を制限する。
【００３０】
Ａ／Ｄ変換器４３は、本線から分岐された中間周波数の信号（送信制御部１からの信号）をＡ／Ｄ変換してデジタル信号にしてＦＰＧＡ４４へ出力する。
ＦＰＧＡ４４は、デジタルフィルタの機能を有しており、（１３０ＭＨｚ帯の信号及び７０ＭＨｚ帯の信号）以外を制限することにより、これら２つの中間周波数の信号を抜き出して、これら２つの中間周波数の信号の信号レベルを検出して比較する。そして、当該比較結果に応じて、信号レベルが大きい方の中間周波数の信号が存在すると判定して選択するように、スイッチ４５とスイッチ４８を切り替えるように制御する。これにより、使用されている中間周波数を自動的に選択して、最適な構成を自動的に選択する。
【００３１】
スイッチ４５は、ＦＰＧＡ４４による制御に従って、２つの中間周波数のうちのいずれか１つの中間周波数の信号を選択して、ミキサ４９へ出力する。具体的には、１３０ＭＨｚの中間周波数を選択する場合には、１３０ＭＨｚ用の中間周波数帯域フィルタ４１からの出力信号を選択し、また、７０ＭＨｚの中間周波数を選択する場合には、７０ＭＨｚ用の中間周波数帯域フィルタ４２からの出力信号を選択することで、所望の中間周波数の選択を実現して、所望の中間周波数以外を制限する。
【００３２】
局部発振器４６は１３７０ＭＨｚの信号を発生させて出力し、局部発振器４７は１５７０ＭＨｚの信号を発生させて出力する。
スイッチ４８は、ＦＰＧＡ４４による制御に従って、１３０ＭＨｚの中間周波数が選択される場合には局部発振器４６からの１３７０ＭＨｚの信号を選択してミキサ４９へ出力し、７０ＭＨｚの中間周波数が選択される場合には局部発振器４７からの１５７０ＭＨｚの信号を選択してミキサ４９へ出力するように、局部発振器４６、４７を切り替える。
【００３３】
これにより、２つの異なる中間周波数のいずれかが使用される本例においても同一のセカンド中間周波数（１５００ＭＨｚ）が得られる。ここで、局部発振器４６、４７からの信号の周波数をＬｏ２とし、セカンド中間周波数をＩＦ２とすると、（ＩＦ２＝Ｌｏ２±ＩＦ）の式により算出される。具体的には、１３０ＭＨｚの中間周波数を選択する場合には、１３７０ＭＨｚの局部発信器４６を選択することで、ミキサ４９による周波数変換により１５００ＭＨｚのセカンド周波数（＝１３７０ＭＨｚ＋１３０ＭＨｚ）の信号を取得し、また、７０ＭＨｚの中間周波数を選択する場合には、１５７０ＭＨｚの局部発信器４７を選択することで、ミキサ４９による周波数変換により１５００ＭＨｚのセカンド周波数（＝１５７０ＭＨｚ−７０ＭＨｚ）の信号を取得する。
【００３４】
このセカンド中間周波数の信号をセカンド中間周波数帯域フィルタ５０に通して当該セカンド中間周波数の信号の不要波を制限し、当該制限後の信号（１５００ＭＨｚの信号）と可変局部発信器５１からの信号（例えば、５ＧＨｚ、６．８５ＧＨｚ、９ＧＨｚ、９．８５ＧＨｚ、１０ＧＨｚなどの信号）とをミキサ５２に入力して所望の送信周波数の信号（例えば、７ＧＨｚや１０ＧＨｚなどの信号）を得る。この送信周波数の信号を高周波数帯域フィルタ５３に通して当該送信周波数の信号の不要波を制限し、当該制限後の信号を高周波増幅器（例えば、電力増幅器（ＰＡ））５４により増幅し、当該増幅後の高周波の信号をパラボラアンテナ４を経て無線により送信する。
【００３５】
このように、本例の送信高周波部３では、複数の中間周波数の入力が可能であり、入力された中間周波数を自動的に検出して、同一（単一）の構成のままで国内中間周波数の仕様（１３０ＭＨｚ）と海外中間周波数の仕様（７０ＭＨｚ）に対応することが可能である。
【００３６】
図４には、受信高周波部１２の構成例を示してある。
本例の受信高周波部１２において行われる動作の一例を示す。本例の受信高周波部１２は、送信機から出力された高周波信号を２つの異なる中間周波数のうちのいずれか１つの中間周波数の信号へ変換する機能を有しており、中間周波数を選択する機能を有している。
【００３７】
受信機側では、送信機側から無線送信された信号がパラボラアンテナ１１を経て受信高周波部１２に入力される。
本例の受信高周波部１２では、この信号（受信信号）を高周波の低雑音増幅器（ＬＮＡ）６１により増幅し、当該増幅後の信号を高周波帯域フィルタ６２に通して当該信号の不要波を制限し、当該制限後の信号と可変局部発振器６３からの信号（例えば、５ＧＨｚ、６．８５ＧＨｚ、９ＧＨｚ、９．８５ＧＨｚ、１０ＧＨｚなどの信号）とをミキサ６４に入力して１５００ＭＨｚのセカンド中間周波数の信号を得る。このセカンド中間周波数の信号をセカンド中間周波数帯域フィルタ６５に通して当該セカンド中間周波数の信号の不要波を制限し、当該制限後の信号をミキサ７２に入力する。
【００３８】
局部発振器６６は１５７０ＭＨｚの信号を発生させて出力し、局部発振器６７は１３７０ＭＨｚの信号を発生させて出力する。
スイッチ７１は、１３０ＭＨｚの中間周波数が選択される場合には局部発振器６７からの１３７０ＭＨｚの信号を選択してミキサ７２へ出力し、７０ＭＨｚの中間周波数が選択される場合には局部発振器６６からの１５７０ＭＨｚの信号を選択してミキサ７２へ出力するように、局部発振器６６、６７を切り替える。
【００３９】
これにより、同一のセカンド中間周波数（１５００ＭＨｚ）の信号から、２つの異なる中間周波数のいずれかの信号を得ることができる。具体的には、１３０ＭＨｚの中間周波数を選択する場合には、１３７０ＭＨｚの局部発信器６７を選択することで、ミキサ７２による周波数変換により１３０ＭＨｚの中間周波数（＝１５００ＭＨｚ−１３７０ＭＨｚ）の信号を取得し、また、７０ＭＨｚの中間周波数を選択する場合には、１５７０ＭＨｚの局部発信器６６を選択することで、ミキサ７２による周波数変換により７０ＭＨｚの中間周波数（＝１５７０ＭＨｚ−１５００ＭＨｚ）の信号を取得する。
【００４０】
ミキサ７２から出力された信号は、１３０ＭＨｚ用の中間周波数帯域フィルタ７３に通されて１３０ＭＨｚの信号を主に通すように当該信号の不要波が制限されるとともに、７０ＭＨｚ用の中間周波数帯域フィルタ７４に通されて７０ＭＨｚの信号を主に通すように当該信号の不要波が制限される。
スイッチ７５は、これら２つの中間周波数のうちのいずれか１つの中間周波数の信号を選択して、有線ケーブル１３へ出力（送出）することにより受信制御部１４へ送る。具体的には、中間周波数を１３０ＭＨｚとする場合には、１３０ＭＨｚ用の中間周波数帯域フィルタ７３からの出力信号を選択して所望波以外の不要波の制限を行い、また、中間周波数を７０ＭＨｚとする場合には、７０ＭＨｚ用の中間周波数帯域フィルタ７４からの出力信号を選択して所望波以外の不要波の制限を行うことで、所望の中間周波数の選択を実現する。
【００４１】
スイッチ７１及びスイッチ７５により所望の中間周波数の信号を選択する手法としては、種々なものが用いられてもよい。
一例として、送信対象となる信号（例えば、ＴＳ信号）に、中間周波数を特定する情報が含まれており、スイッチ７１とスイッチ７５のうちの一方或いは両方、又は他の処理部が当該情報により特定される中間周波数を選択するように制御する手法を用いることができる。この情報としては、例えば、中間周波数の値自体を特定する情報や、或いは、中間周波数を特定することが可能な放送局の識別情報や、或いは、国内であるか或いは海外であるかの識別情報などを用いることができる。
【００４２】
他の一例として、ユーザにより操作することが可能な外部スイッチ６８（或いは、任意の操作部）を設けて、ユーザにより操作される内容に応じてＦＰＧＡ７０を介して各スイッチ７１、７５を制御することにより、ユーザの希望に合わせた中間周波数を選択する手法を用いることができる。
【００４３】
更に他の一例として、ＧＰＳアンテナとＧＰＳ受信機を合わせ持ったＧＰＳユニット６９を設けて、ＧＰＳユニット６９がＧＰＳ機能により受信機の位置情報を取得して、当該位置情報に基づいて国内仕様圏であるか或いは海外仕様圏であるかを検出し、当該検出結果（当該位置情報）に合わせてＦＰＧＡ７０を介して各スイッチ７１、７５を制御することにより、各圏内に合った中間周波数を自動的に設定するような手法を用いることができる。
【００４４】
このように、本例の受信高周波部１２では、複数の中間周波数の信号を出力することが可能であり、同一（単一）の構成のままで国内中間周波数の仕様（１３０ＭＨｚ）と海外中間周波数の仕様（７０ＭＨｚ）に対応することが可能である。また、所望の中間周波数を選択することが可能である。
【００４５】
図５には、受信制御部１４の構成例を示してある。
本例の受信制御部１４において行われる動作の一例を示す。本例の受信制御部１４は、受信高周波部１２から送出される信号の周波数（中間周波数）を自動的に検出する機能を有する。
受信高周波部１２からの中間周波数の信号が、有線ケーブル１３を介して入力されて、本線の信号としてスイッチ８３に入力され、分岐の信号としてＡ／Ｄ変換器８１に入力される。
【００４６】
Ａ／Ｄ変換器８１は、本線から分岐された中間周波数の信号（受信高周波部１２からの信号）をＡ／Ｄ変換してデジタル信号にしてＦＰＧＡ８２へ出力する。
ＦＰＧＡ８２は、デジタルフィルタの機能を有しており、（１３０ＭＨｚ帯の信号及び７０ＭＨｚ帯の信号）以外を制限することにより、これら２つの中間周波数の信号を抜き出して、これら２つの中間周波数の信号の信号レベルを検出して比較する。そして、当該比較結果に応じて、信号レベルが大きい方の中間周波数の信号が存在すると判定して選択するように、スイッチ８３を切り替えるように制御する。これにより、使用されている中間周波数を自動的に選択して、最適な構成を自動的に選択する。
【００４７】
スイッチ８３は、ＦＰＧＡ８２による制御に従って、２つの中間周波数のうちのいずれか１つの中間周波数の信号を選択して、受信高周波部１２からの信号を選択した方に対応する中間周波数帯域フィルタ８４、８５へ出力する。具体的には、１３０ＭＨｚの中間周波数を選択する場合には、１３０ＭＨｚ用の中間周波数帯域フィルタ８４を選択し、また、７０ＭＨｚの中間周波数を選択する場合には、７０ＭＨｚ用の中間周波数帯域フィルタ８５を選択することで、所望の中間周波数の選択を実現して、所望の中間周波数以外を制限する。
【００４８】
１３０ＭＨｚ用の中間周波数帯域フィルタ８４は、入力された信号を通して、１３０ＭＨｚの信号を主に通すように当該信号の不要波を制限して、当該制限後の信号をミキサ８７へ出力する。
７０ＭＨｚ用の中間周波数帯域フィルタ８５は、入力された信号を通して、７０ＭＨｚの信号を主に通すように当該信号の不要波を制限して、当該制限後の信号をミキサ８７へ出力する。
【００４９】
局部発振器８６は、１００ＭＨｚの信号を発生させてミキサ８７へ出力する。
ミキサ８７は、１３０ＭＨｚ用の中間周波数帯域フィルタ８４又は７０ＭＨｚ用の中間周波数帯域フィルタ８５から入力される信号と、局部発信器８６から入力される１００ＭＨｚの信号により、３０ＭＨｚのベースバンド信号へ周波数変換する。そして、このベースバンド信号をベースバンドフィルタ８８に通して当該ベースバンド信号の不要波を制限し、当該制限後の信号についてデジタル復調ユニット８９により信号の復調を行う。
【００５０】
具体的には、１３０ＭＨｚの中間周波数が選択された場合には、（１３０ＭＨｚ−１００ＭＨｚ＝３０ＭＨｚ）により３０ＭＨｚのベースバンド信号が生成され、また、７０ＭＨｚの中間周波数が選択された場合には、（１００ＭＨｚ−７０ＭＨｚ＝３０ＭＨｚ）により３０ＭＨｚのベースバンド信号が生成される。これにより、２つの異なる中間周波数であっても、ミキサ８７からの出力信号として同一の周波数（３０ＭＨｚ）を有するベースバンド信号を得ることができる。
【００５１】
このように、本例の受信制御部１４では、複数の中間周波数の入力が可能であり、入力された中間周波数を自動的に検出して、同一（単一）の構成のままで国内中間周波数の仕様（１３０ＭＨｚ）と海外中間周波数の仕様（７０ＭＨｚ）に対応することが可能である。
【００５２】
以上のように、本例の無線伝送システムでは、システム全体で、複数の中間周波数に対応することが可能な機能を有しており、国内メーカ装置と海外メーカ装置との互換性を容易に得ることができる。
本例では、送信機側や受信機側において、中間周波数の信号の送信側（送信制御部１や受信高周波部１２）と受信側（送信高周波部３や受信制御部１４）が有線ケーブル（有線ケーブル２や有線ケーブル１３）で接続されており、当該送信側では外部信号などの情報に基づいて複数の中間周波数の中から１つの中間周波数を選択して回路を切り替え、当該受信側では当該送信側からの受信信号に含まれる中間周波数を判定して回路を切り替える。
【００５３】
一構成例として、次のような通信制御方式を実現する。
すなわち、伝送すべき映像音声信号により変調された中間周波数の信号を生成する送信制御部１と、当該中間周波数の信号を規定のチャネル周波数の信号へ変換する送信高周波部３の２筐体から成り、送信制御部１と送信高周波部３を有線のケーブル２で接続する無線送信機において、局部発振機能（本例では、局部発振器４６、４７やスイッチ４８など）は、送信周波数或いはそれに対応する所定の周波数（本例では、１５００ＭＨｚ）から中間周波数（本例では、１３０ＭＨｚ）を差し引いた周波数（本例では、１３７０ＭＨｚ）と、送信周波数或いはそれに対応する所定の周波数（本例では、１５００ＭＨｚ）と中間周波数（本例では、７０ＭＨｚ）を加えた周波数（本例では、１５７０ＭＨｚ）を自動的に切り替えて発振させる。
【００５４】
一構成例として、次のような通信制御方式を実現する。
すなわち、規定のチャネル周波数の信号を中間周波数の信号へ変換する受信高周波部１２と、中間周波数の信号を復調して伝送すべき映像音声信号を生成する受信制御部１４の２筐体から成り、受信高周波部１２と受信制御部１４を有線のケーブル１３で接続する無線受信機において、局部発振機能（本例では、局部発振器６６、６７やスイッチ７１など）は、受信周波数或いはそれに対応する所定の周波数（本例では、１５００ＭＨｚ）から中間周波数（本例では、１３０ＭＨｚ）を差し引いた周波数（本例では、１３７０ＭＨｚ）と、受信周波数或いはそれに対応する所定の周波数（本例では、１５００ＭＨｚ）と中間周波数（本例では、７０ＭＨｚ）を加えた周波数（本例では、１５７０ＭＨｚ）を自動的に又は手動で切り替えて発振させる。
【００５５】
一構成例として、次のような通信制御方式を実現する。
すなわち、送信制御部１と送信高周波部３の２筐体から成る伝送装置においてユニット間を中間周波数で接続する無線伝送システムにおいて、送信制御部１では、自動的に又は手動で、伝送すべき中間周波数に対応した帯域制限フィルタ２５、２６を選択する。
【００５６】
一構成例として、次のような通信制御方式を実現する。
すなわち、送信制御部１と送信高周波部３の２筐体から成る伝送装置においてユニット間を中間周波数で接続する無線伝送システムにおいて、送信高周波部３では、入力された中間周波数の信号を本線より分岐してＡ／Ｄ変換した後に、得られたデジタル信号により各中間周波数のレベルを比較して最適な局部発振器４６、４７及び帯域制限フィルタ４１、４２を選択する。
【００５７】
一構成例として、次のような通信制御方式を実現する。
すなわち、受信高周波部１２と受信制御部１４の２筐体から成る伝送装置においてユニット間を中間周波数で接続する無線伝送システムにおいて、受信制御部１４では、入力された中間周波数の信号を本線より分岐してＡ／Ｄ変換した後に、得られたデジタル信号により各中間周波数のレベルを比較して最適な帯域制限フィルタ８４、８５を選択する。
【００５８】
以上説明したように、本例の放送用可搬型無線伝送装置では、国内メーカ装置と海外メーカ装置との接続が可能となり、また、中間周波数の自動検出を行うことにより国内装置と海外装置との接続互換を容易に行うことができ、装置の利用範囲が広がるという利点が得られる。また、一つの装置で、顧客の要望に合わせた中間周波数を選択することができる利点が得られる。
【００５９】
従来では、一つの構成で国内と海外の両方の中間周波数に対応した装置はなく、それぞれの中間周波数に合わせた装置が存在していた。本例では、このような問題を除去し、一つの装置で国内と海外とで異なる中間周波数が使用されているという仕様を満たすことができ、自動的に中間周波数の周波数帯を検出することも可能である。
【００６０】
ここで、本例では、放送用可搬型無線伝送装置の全体に本発明を適用した場合を示したが、例えば、送信制御部１、送信高周波部３、受信高周波部１２、受信制御部１４のそれぞれ毎に本発明を適用して製品化することも可能であり、或いは、送信機（送信制御部１と有線ケーブル２と送信高周波部３）と受信機（受信高周波部１２と有線ケーブル１３と受信制御部１４）のそれぞれ毎に本発明を適用して製品化することも可能である。
また、本例では、本発明を放送用可搬型無線伝送装置に適用した場合を示したが、本発明は、他の種々なもの（例えば、無線画像伝送装置など）に適用することも可能であり、複数の中間周波数に対応することが可能な種々な装置等を実現することができる。
【００６１】
なお、本例の放送用可搬型無線伝送装置では、一例として、送信制御部１により出力側ユニットが構成されており、送信高周波部３により入力側ユニットが構成されている。送信制御部１では、複数の中間周波数の信号に対応した出力側回路としてフィルタ２５、２６を備えており、送信対象となる信号（例えば、ＴＳ信号）に基づいて中間周波数を決定する機能（任意のところに備えられてもよい）或いはＧＰＳユニット２８により中間周波数を決定する機能により出力側決定手段が構成されており、ＦＰＧＡ２９（使用されない態様が用いられてもよい）やスイッチ３０により使用するフィルタ２５、２６を切り替える機能により出力側切り替え手段が構成されている。送信高周波部３では、複数の中間周波数の信号に対応した入力側回路としてフィルタ４１、４２や発振器４６、４７を備えており、Ａ／Ｄ変換器４３やＦＰＧＡ４４により入力信号に基づいて中間周波数を決定する機能により入力側決定手段が構成されており、スイッチ４５やスイッチ４８により使用するフィルタ４１、４２や発振器４６、４７を切り替える機能により入力側切り替え手段が構成されている。
【００６２】
また、本例の放送用可搬型無線伝送装置では、他の一例として、受信高周波部１２により出力側ユニットが構成されており、受信制御部１４により入力側ユニットが構成されている。受信高周波部１２では、複数の中間周波数に対応した出力側回路として発振器６６、６７やフィルタ７３、７４を備えており、送信対象となる信号（例えば、ＴＳ信号）に基づいて中間周波数を決定する機能（任意のところに備えられてもよい）或いはＧＰＳユニット６９により中間周波数を決定する機能により出力側決定手段が構成されており、ＦＰＧＡ７０（使用されない態様が用いられてもよい）及びスイッチ７１やスイッチ７５により使用する発振器６６、６７やフィルタ７３、７４を切り替える機能により出力側切り替え手段が構成されている。受信制御部１４では、複数の中間周波数の信号に対応した入力側回路としてフィルタ８４、８５を備えており、Ａ／Ｄ変換器８１やＦＰＧＡ８２により入力信号に基づいて中間周波数を決定する機能により入力側決定手段が構成されており、スイッチ８３により使用するフィルタ８４、８５を切り替える機能により入力側切り替え手段が構成されている。
【００６３】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００６４】
【図１】本発明の一実施例に係る放送用可搬型無線伝送装置の構成例を示す図である。
【図２】本発明の一実施例に係る送信制御部（ＴＣ）の構成例を示す図である。
【図３】本発明の一実施例に係る送信高周波部（ＴＨ）の構成例を示す図である。
【図４】本発明の一実施例に係る受信高周波部（ＲＨ）の構成例を示す図である。
【図５】本発明の一実施例に係る受信制御部（ＲＣ）の構成例を示す図である。
【図６】放送用可搬型無線伝送装置の構成例を示す図である。
【図７】送信制御部（ＴＣ）の構成例を示す図である。
【図８】送信高周波部（ＴＨ）の構成例を示す図である。
【図９】受信高周波部（ＲＨ）の構成例を示す図である。
【図１０】受信制御部（ＲＣ）の構成例を示す図である。
【符号の説明】
【００６５】
１、１０１・・送信制御部（ＴＣ）、  ２、１３、１０２、１１３・・有線ケーブル、  ３、１０３・・送信高周波部（ＴＨ）、  ４、１１、１０４、１１１・・アンテナ、  １２、１１２・・受信高周波部（ＲＨ）、  １４、１１４・・受信制御部（ＲＣ）、  ２１、１２１・・デジタル変調ユニット、  ２２、２５、２６、４１、４２、５０、５３、６２、６５、７３、７４、８４、８５、８８、１２２、１２５、１３１、１３４、１３７、１４２、１４５、１４８、１５１、１５３、１５４・・フィルタ、  ２３、４６、４７、５１、６３、６６、６７、８６、１２３、１３２、１３５、１４３、１４６、１５２・・局部発振器、  ２４、４９、５２、６４、７２、８７、１２４、１３３、１３６、１４４、１４７・・ミキサ、  ２７、３０、４５、４８、６８、７１、７５、８３・・スイッチ、  ２８、６９・・ＧＰＳユニット、  ２９、４４、７０、８２・・ＦＰＧＡ、  ４３、８１・・Ａ／Ｄ変換器、  ５４、６１、１３８、１４１・・増幅器、  ８９、１５５・・デジタル復調ユニット、
【図１】
2010068443.tif 000003
【図２】
2010068443.tif 000004
【図３】
2010068443.tif 000005
【図４】
2010068443.tif 000006
【図５】
2010068443.tif 000007
【図６】
2010068443.tif 000008
【図７】
2010068443.tif 000009
【図８】
2010068443.tif 000010
【図９】
2010068443.tif 000011
【図１０】
2010068443.tif 000012